(57)【要約】      （修正有）【課題】内容物に関係なく吐出される量を調整できるほか、内容物を注ぐ際に揺れ動く内容物をポアラーに誘導して安定的に吐出させ、内容物を使用途中に止める場合はポアラーが内容物と広く接しており、摩擦力により内容物の流れを容易に中断させることができる、排出量が調節されるポアラーキャップを提供する。【解決手段】円形の円柱の一側面にヤカンの注ぎ口のように前の方に凸出し、内容物が吐出口から吐出される際に安全に流れ出るようにガイドするポアラー１０と、ポアラーの外角に設置される外角顎によりポアラーが設置される部分と強固に結合され、ポアラーが設置される部分を覆う蓋３０と、ポアラーが設置される部分と蓋とを連結する連結部６０とを含んでいる。【選択図】図１
2007131352.tif 000002
【特許請求の範囲】
【請求項１】
円形の円柱の一側面にヤカンの注ぎ口のように前の方に凸出し、内容物が吐出口から吐出される際に安全に流れ出るようにガイドするポアラーと、
前記ポアラーの外角に設置される外角顎によりポアラーが設置される部分と強固に結合され、前記ポアラーが設置される部分を覆う蓋と、
前記ポアラーが設置される部分と前記蓋とを連結する連結部と
を含んでなることを特徴とする排出量が調節されるポアラーキャップ。
【請求項２】
前記ポアラーの中央に位置してポアラーの下の部分に結合され、
内容物が出る吐出口を塞ぎ、使用時には分離させて外す栓を含んでなることを特徴とする請求項１に記載の排出量が調節されるポアラーキャップ。
【請求項３】
前記栓はキャップから分離させて外す際に指を掛けられるように円形の環状になっている栓の取っ手を含むことを特徴とする請求項２に記載の排出量が調節されるポアラーキャップ。
【発明の詳細な説明】
【技術分野】
【０００１】
本発明は、排出量が調節されるポアラーキャップに関し、より詳細には、容器に取り付けられているキャップの液体を排出する排出口に全体として円形状となっており、前記円の一側部に突出部位があり、前記突出部位を通して容器に入っている内容物が流れ出るようにし、前記内容物の流れ出る量を調節でき、ヤカンの注ぎ口のようなポアラーを含んでなるキャップに関する。
【背景技術】
【０００２】
一般に、ポアラー（注ぎ機構）はカクテルバー、一般家庭の台所などで容器の内容物を注ぐ際に用いる機構として使われている。
容器に入っている内容物を注ぐ際には、従来はキャップの排出口を大きくしたり、円形状で空気の流れを調節したりする程度に過ぎなかった。
前記のような従来の構成では容器に入っている内容物の吐出量を自由に調節するのが困難であるという問題があった。
【発明の開示】
【発明が解決しようとする課題】
【０００３】
そこで、本発明は、上記の問題点を解決するためになされたものであって、その目的は、内容物に関係なく吐出される量を調整できるほか、内容物を注ぐ際に揺れ動く内容物をポアラーに誘導して安定的に吐出させ、内容物を使用途中に止める場合はポアラーが内容物と広く接しているため、前記摩擦力により内容物の流れを容易に中断させることのできる、排出量が調節されるポアラーキャップを提供することにある。
【課題を解決するための手段】
【０００４】
前記した技術的課題を解決するための本発明による排出量が調節されるポアラーキャップは、円形の円柱の一側面にヤカンの注ぎ口のように前の方に凸出し、内容物が吐出口から吐出される際に安全に流れ出るようにガイドするポアラーと、前記ポアラーの外角に設置される外角顎によりポアラーが設置される部分と強固に結合され、前記ポアラーが設置される部分を覆う蓋と、前記ポアラーが設置される部分と前記蓋とを連結する連結部とを含んでなることを特徴とす。
前記ポアラーの中央に位置してポアラーの下の部分に結合され、内容物が出る吐出口を塞ぎ、使用時には分離させて外す栓を含んでなることを特徴とする。
前記栓はキャップから分離させて外す際に指を掛けられるように円形の環状になっている栓の取っ手を含むことを特徴とする。
【発明の効果】
【０００５】
以上で説明したように、本発明の排出量が調節されるポアラーキャップによれば、内容物に関係なく吐出される量を調整できるほか、内容物を注ぐ際に揺れ動く内容物をポアラーに誘導して安定的に吐出させ、内容物を使用途中に止める場合はポアラーが内容物と広く接触しているため、前記摩擦力により内容物の流れを容易に中断させることのできる、排出量が調節される効果を奏する。
【発明を実施するための最良の形態】
【０００６】
以下、本発明の好適な実施形態について図面を参照して詳細に説明する。
図１は、本発明に係る排出量が調節されるポアラーキャップを説明するための斜視図である。
図１を参照すれば、ポアラー１０の中央には容器の内部に入っている内容物を排出する吐出口がある。前記吐出口は容器が最初に作られる時、栓２０により密閉される。使用時には栓２０に結合されている栓の取っ手２５を指に掛け引っ張って栓２０を開いて使用する。
前記栓２０の外角にはポアラー１０が備えられているが、前記ポアラー１０の形状は円形の円柱の一側面がヤカンの注ぎ口のように前の方に凸出しており、内容物が吐出口から吐出される際にポアラー１０へ流れ出るようにガイドする役割を果たす。また、前記のような形状で形成されあているポアラー１０は内容物の吐出時に内容物と接する接触面が広くて内容物の排出量を容易に調節でき、吐出の終了時に、接触面の摩擦により自然に内容物の吐出を遮断できる。
前記ポアラー１０の外角には外角面４０が備えられているが、前記外角面４０はポアラー１０がキャップに強固に結合されるようにする役割を果たす。
前記ポアラー１０の外角には外角顎５０が設置されている。外角顎５０は蓋３０がポアラー１０の設置される部分と強固に結合されるようにする。
前記外角顎５０の一側にはポアラー１０が設置される部分と蓋３０とが連結されるようにする連結部６０が備えられているが、前記連結部６０は前記蓋３０を、前記ポアラー１０の設置される部分から分離させた時、蓋３０がポアラー１０の設置される部分と連結されるようにする役割を果たす。
図２は、本発明に係る排出量が調節されるポアラーキャップを説明するための側断面図である。
図２を参照すれば、ポアラー１０の中央には栓２０が備えられているが、栓２０の下端はポアラー１０の下端と結合されている。
前記栓２０の上端は栓２０をポアラー１０の下端から分離する際に取っ手としての機能をする環状の栓の取っ手２５がある。使用時には前記栓の取っ手２５を引っ張ると、引張力により栓２０がキャップから分離される。
前記栓２０の外角にはポアラー１０が柱状に結合されている。
ポアラー１０の上端部には内容物が自然に吐出されるように外角に曲がる形状となっている。
前記ポアラー１０の外角には外角面４０が設置されているが、前記外角面４０はポアラー１０がキャップに強固に結合されるようにする役割を果たす。
前記外角面４０の外角には外角顎５０が備えられるが、外角顎５０は蓋３０がポアラー１０の設置される部分と強固に結合されるようにする。
前記外角顎５０の一側にはポアラー１０が設置される部分と蓋３０とが連結されるようにする連結部６０が備えられているが、前記連結部６０は前記蓋３０を、前記ポアラー１０の設置される部分から分離させた際に蓋３０がポアラー１０の設置される部分と連結されるようにする役割を果たす。
図３は、本発明に係る排出量が調節されるポアラーキャップを説明するための平面図である。
図３を参照すれば、吐出口の外角にはポアラー１０が備えられている。前記ポアラー１０は円形の柱から一側面に突出部位がある形状となっている。前記突出部位は容器の内容物を吐出させる際に内容物と接触面が広く、ヤカンの注ぎ口のような形状となっており、吐出される内容物が安定的に案内されて吐出でき、吐出が終わって容器の内容物の流れを遮断させる際に内容物との接触面が広いため、迅速、かつ、安全に内容物の流れを遮断する。
前記ポアラー１０の外角には外角面４０が備えられており、外角面４０の外角には外角顎５０があって外角顎５０は蓋３０がポアラー１０の設置される部分と強固に結合されるようにする。
図３は、キャップの蓋３０をポアラー１０の設置される部分から分離させた状態を示すものであって、前記蓋３０の内部の中心にはポアラー１０と形状が一致するように円形状の一側には突出部位のあるポアラーの蓋７０が備えられている。
前記外角顎５０の一側にはポアラー１０が設置される部分と蓋３０とが連結されるようにする連結部６０が備えられているが、前記連結部６０は前記蓋３０を前記ポアラー１０の設置される部分から分離させた際に蓋３０がポアラー１０の設置される部分と連結されるようにする役割を果たす。
以上説明したように、本発明の最も好ましい実施の形態等について説明したが、本発明は、上記記載に限定されるものではなく、特許請求の範囲に記載され、または明細書に開示された発明の要旨に基づき、当業者において様々な変形や変更が可能であることは勿論であり、斯かる変形や変更が、本発明の範囲に含まれることは言うまでもない。
【図面の簡単な説明】
【０００７】
【図１】本発明に係る排出量が調節されるポアラーキャップを説明するための斜視図である。
【図２】本発明に係る排出量が調節されるポアラーキャップを説明するための側断面図である。
【図３】本発明に係る排出量が調節されるポアラーキャップを説明するための平面図である。
【符号の説明】
【０００８】
１０      ポアラー（Ｐｏｕｒｅｒ）
２０      栓
３０      蓋
４０      外角面
５０      外角顎
６０      連結部
７０      ポアラーの蓋
【図１】
2007131352.tif 000003
【図２】
2007131352.tif 000004
【図３】
2007131352.tif 000005